(57)【要約】【課題】受信が集中するときや送信が集中するときでも円滑に送受信する。【解決手段】基準日毎に回線割当部４８は、曜日と時刻ごとに受信状況記憶部４６の受信パラメータの状況と送信状況記憶部４７の送信パラメータの状況を読み出し、受信回数と送信回数のどちらが多いかを比較し、受信回数が多い場合には、例えば回線Ａ，Ｂの２回線を受信回線に割当て、回線Ｃの１回線を送信回線に割り当て、回線割当記憶部４９に記憶する。この回線割当処理を全ての曜日と時刻に繰返す。回線切替部５０は現在の曜日と時刻に該当する受信回線と送信回線の割当情報を回線割当記憶部４９から検索し、検索した割当情報により回線Ａ，Ｂ，Ｃを受信回線にするか送信回線にするかを割り当てる。【選択図】　　図２
2004072359.tif 000002
【特許請求の範囲】
【請求項１】
複数の回線が接続された通信装置の各回線を受信回線と送信回線に割り当てる通信制御方法において、
過去の一定期間の受信状況と送信状況を曜日と時刻毎に記憶し、記憶した受信状況と送信状況に基づいて曜日と時刻毎に複数回線の各回線毎に対して受信回線と送信回線を割り当てることを特徴とする通信制御方法。
【請求項２】
複数の回線が接続された通信装置の各回線を受信回線と送信回線に割り当てる通信制御装置において、
パラメータ記憶部とパラメータ監視部と受信状況記憶部と送信状況記憶部と回線割当部と回線割当記憶部及び回線切替部を有し、
パラメータ記憶部は受信時間と受信時刻と受信曜日等の受信パラメータと送信時間と送信時刻及び送信曜日などの送信パラメータを記憶し、パラメータ監視部は、各回線から受信したり送信するたびに、パラメータ記憶部の受信パラメータや送信パラメータを監視し、受信パラメータの状況を受信状況記憶部に記憶し、送信パラメータの状況を送信状況記憶部に記憶し、回線割当部はあらかじめ定めた基準日毎に受信状況記憶部と送信状況記憶部の状況を総合して曜日と時刻ごとに、各回線を受信回線として使用するか送信回線として使用するかの割当を決め、回線割当記憶部は回線割当部で割り当てられた受信回線と送信回線の割当を時刻と曜日ごとに記憶し、回線切替部は回線割当記憶部に記憶した情報に基づいた時刻と曜日に合わせて各回線のそれぞれを受信回線にするか送信回線にするかを切り替えることを特徴とする通信制御装置。
【請求項３】
複数の回線が接続されたデータ通信装置において、
パラメータ記憶部とパラメータ監視部と受信状況記憶部と送信状況記憶部と回線割当部と回線割当記憶部及び回線切替部を有し、
パラメータ記憶部は受信時間と受信時刻と受信曜日等の受信パラメータと送信時間と送信時刻及び送信曜日などの送信パラメータを記憶し、パラメータ監視部は、各回線から受信したり送信するたびに、パラメータ記憶部の受信パラメータや送信パラメータを監視し、受信パラメータの状況を受信状況記憶部に記憶し、送信パラメータの状況を送信状況記憶部に記憶し、回線割当部はあらかじめ定めた基準日毎に受信状況記憶部と送信状況記憶部の状況を総合して曜日と時刻ごとに、各回線を受信回線として使用するか送信回線として使用するかの割当を決め、回線割当記憶部は回線割当部で割り当てられた受信回線と送信回線の割当を時刻と曜日ごとに記憶し、回線切替部は回線割当記憶部に記憶した情報に基づいた時刻と曜日に合わせて各回線のそれぞれを受信回線にするか送信回線にするかを切り替えることを特徴とするデータ通信装置。
【請求項４】
前記回線割当記憶部に記憶した受信回線と送信回線の割当情報は時刻と曜日に合わせて表示部に表示する請求項３記載のデータ通信装置。
【請求項５】
前記回線切替部は新たに回線の割当が行われたことを音声出力部から出力して使用者に知らせる請求項３又は４記載のデータ通信装置。
【発明の詳細な説明】
【０００１】
【発明の属する技術分野】
この発明は、電話機やファクシミリ装置等で複数の回線を有する通信装置の通信制御方法と通信制御装置及びデータ通信装置、特に通信の円滑化に関するものである。
【０００２】
【従来の技術】
複数の回線がある通信装置において、送信と受信を円滑に行うために、送信専用の回線と受信専用の回線に分けたり、特許第３２３６４９８号公報に示すように、着信を許可する送信側端末の電話番号をグループ別に登録し、発信優先モード又は着信優先モードに応じて送信側端末の着信を許可する条件を変えるようにしている。例えば回線が３回線有り、着信を許可する送信側端末の電話番号を３グループに分けた場合、着信優先が選択されているときに、未使用の回線が３回線あった場合には全てのグループの電話番号の着信を許可し、未使用の回線が２回線あった場合には２つのグループの電話番号の着信を許可し、未使用の回線が１回線あった場合には１グループの電話番号の着信を許可する。また、発信優先が選択されているときに、未使用の回線が３回線あった場合には２つのグループの電話番号の着信を許可し、未使用の回線が２回線あった場合には１つのグループの電話番号の着信を許可し、未使用の回線が１回線あった場合には全てのグループの電話番号の着信を許可しないようにして、回線の空き状況に応じた柔軟な運用を行うようにしている。
【０００３】
【発明が解決しようとする課題】
しかしながら、前記のように発信優先モード又は着信優先モードに応じて送信側端末の着信を許可する条件を変えるようにしても、実際の通信においては、１日あるいは１週間の間で受信が集中するときや送信が集中するときがあり、受信が集中したり送信が集中するときに、受信不可能になったり送信不可能になることは発生してしまうという短所がある。
【０００４】
この発明は、このような短所を改善し、受信が集中するときや送信が集中するときでも円滑に送受信することができる通信制御方法と通信制御装置及びデータ通信装置を提供することを目的とするものである。
【０００５】
【課題を解決するための手段】
この発明に係る通信制御方法は、複数の回線が接続された通信装置の各回線を受信回線と送信回線に割り当てる通信制御方法において、過去の一定期間の受信状況と送信状況を曜日と時刻毎に記憶し、記憶した受信状況と送信状況に基づいて曜日と時刻毎に複数回線の各回線毎に対して受信回線と送信回線を割り当てることを特徴とする。
【０００６】
この発明に係る通信制御装置は、複数の回線が接続された通信装置の各回線を受信回線と送信回線に割り当てる通信制御装置において、パラメータ記憶部とパラメータ監視部と受信状況記憶部と送信状況記憶部と回線割当部と回線割当記憶部及び回線切替部を有し、パラメータ記憶部は受信時間と受信時刻と受信曜日等の受信パラメータと送信時間と送信時刻及び送信曜日などの送信パラメータを記憶し、パラメータ監視部は、各回線から受信したり送信するたびに、パラメータ記憶部の受信パラメータや送信パラメータを監視し、受信パラメータの状況を受信状況記憶部に記憶し、送信パラメータの状況を送信状況記憶部に記憶し、回線割当部はあらかじめ定めた基準日毎に受信状況記憶部と送信状況記憶部の状況を総合して曜日と時刻ごとに、各回線を受信回線として使用するか送信回線として使用するかの割当を決め、回線割当記憶部は回線割当部で割り当てられた受信回線と送信回線の割当を時刻と曜日ごとに記憶し、回線切替部は回線割当記憶部に記憶した情報に基づいた時刻と曜日に合わせて各回線のそれぞれを受信回線にするか送信回線にするかを切り替えることを特徴とする。
【０００７】
この発明に係るデータ通信装置は、複数の回線が接続されたデータ通信装置において、パラメータ記憶部とパラメータ監視部と受信状況記憶部と送信状況記憶部と回線割当部と回線割当記憶部及び回線切替部を有し、パラメータ記憶部は受信時間と受信時刻と受信曜日等の受信パラメータと送信時間と送信時刻及び送信曜日などの送信パラメータを記憶し、パラメータ監視部は、各回線から受信したり送信するたびに、パラメータ記憶部の受信パラメータや送信パラメータを監視し、受信パラメータの状況を受信状況記憶部に記憶し、送信パラメータの状況を送信状況記憶部に記憶し、回線割当部はあらかじめ定めた基準日毎に受信状況記憶部と送信状況記憶部の状況を総合して曜日と時刻ごとに、各回線を受信回線として使用するか送信回線として使用するかの割当を決め、回線割当記憶部は回線割当部で割り当てられた受信回線と送信回線の割当を時刻と曜日ごとに記憶し、回線切替部は回線割当記憶部に記憶した情報に基づいた時刻と曜日に合わせて各回線のそれぞれを受信回線にするか送信回線にするかを切り替えることを特徴とする。
【０００８】
前記回線割当記憶部に記憶した受信回線と送信回線の割当情報を時刻と曜日に合わせて表示部に表示することが望ましい。
【０００９】
また、前記回線切替部は新たに回線の割当が行われたことを音声出力部から出力して使用者に知らせると良い。
【００１０】
【発明の実施の形態】
図１はこの発明の画像形成装置の構成図である。画像形成装置１は複写機能とプリンタ機能とファクシミリ機能を有し、図に示すように、画像形成ユニット２の下部には記録紙を収納した２段の給紙カセット３ａ，３ｂが設けられ、画像形成ユニット２の上部には読取ユニット４を有する。給紙カセット３ａ，３ｂは給紙ローラ５ａ，５ｂを有し、給紙ローラ５ａ，５ｂにより給紙カセット３ａ，３ｂ内に積載された記録紙を１枚ずつ給紙する。給紙ローラ５ａ，５ｂの下流側近傍は合流して縦搬送経路６が形成されている。縦搬送経路６には搬送ローラ７，８と画像形成ユニット２の画像形成部９と定着部１０が配置されている。画像形成部９は、感光体１１と、感光体１１の周囲に配置された帯電チャージャ１２と現像装置１３と転写部１４及びクリーニングユニット１５と、レーザ光源やポリゴンミラー等が設けられ、感光体１１にレーザービームを照射して画像を書き込む書込ユニット１６を有する。
【００１１】
縦搬送経路６の下流端には排紙ローラ１７が設けられ、画像を形成した記録紙を排紙部１８に搬送する。また、縦搬送経路６の外側には、支軸１９を支点として回転方向に開閉可能な手差しトレイ２０が設けられている。画像形成ユニット２の側面で支軸１９の上部近傍には手差し給紙を行うための給紙口が設けられ、両面ユニット２１と共通に用いられる搬送経路である共通搬送経路２２が搬送ローラ８の上流側で縦搬送経路６と合流している。そして手差しトレイ２０を水平に開放したときに手差し給紙が可能となり、手差しトレイ２０にセットした記録紙は共通搬送経路２２から縦搬送経路６に搬送される。
【００１２】
給紙ユニット３ａ，３ｂあるいは手差しトレイ２０から給紙された記録紙は画像形成部９に搬送される。画像形成部９は、書込ユニット１６により感光体１１に書き込まれて形成された静電潜像を現像装置１３で現像し、現像した画像を転写部１４で記録紙に転写する。定着部１０は画像が転写された記録紙に熱及び圧力を加えて定着する。画像が定着された記録紙は排紙ローラ１７により排紙部１８に排出される。両面ユニット２１は装置本体２の外側部に設置され、記録紙の両面に画像を形成するときは、片面に画像を形成した記録紙を装置本体２の上部に設けた搬送ローラ２３によりスイッチバック経路２４に送り、スイッチバック経路２４から両面ユニット２１を介して再び縦搬送経路６に記録紙を搬送する。
【００１３】
この画像形成装置１の制御装置３１は図２のブロック図に示すように、システム制御部３２とシステムメモリ３３と読出専用メモリ３４と不揮発性メモリ３５と画像メモリ３６と符号化復号化部３７とエンジン制御部３８と回線切替制御部３９と通信制御部４０及びクロック部４１を有する。
【００１４】
システム制御部３２は画像形成装置１全体の動作を制御するとともにファクシミリ伝送制御手順を実行する。システムメモリ３３はシステム制御部３２が制御プログラムを実行するときに、必要なデータを記憶したりワークエリアとして利用する。読出専用メモリ３４は制御プログラムや各種制御データを記憶する。不揮発性メモリ３５はフラッシュメモリカードやハードディスクからなり、時刻指定送信や親展受信などの画像データを格納する。画像メモリ３６は送信画像や受信画像等を記憶する。符号化復号化部３７は画像データを圧縮したり、圧縮された画像データを伸長する。エンジン制御部３８は画像形成ユニット２の動作を制御する。通信制御部４０には複数例えば３回線に通信回線Ａ，Ｂ，Ｃが接続され、回線Ａ，Ｂ，Ｃとの通信を制御する。クロック部４１は月日や曜日と時刻を出力する。
【００１５】
回線切替制御部３９は、過去の受信と送信の状況に基づいて回線Ａ，Ｂ，Ｃに対して受信回線と送信回線を割り当てるものであり、パラメータ記憶部４４とパラメータ監視部４５と受信状況記憶部４６と送信状況記憶部４７と回線割当部４８と回線割当記憶部４９及び回線切替部５０を有する。パラメータ記憶部４４は受信時間と受信時刻と受信曜日等の受信パラメータと送信時間と送信時刻及び送信曜日などの送信パラメータを記憶する。パラメータ監視部４５は、回線Ａ，Ｂ，Ｃから受信したり送信するたびに、パラメータ記憶部４４の受信パラメータや送信パラメータを監視し、受信パラメータの状況を受信状況記憶部４６に記憶し送信パラメータの状況を送信状況記憶部４７に記憶する。回線割当部４８はあらかじめ定めた基準日、例えば毎月の初めである１日に受信状況記憶部４６と送信状況記憶部４７の状況を総合して曜日と時刻ごとに、回線Ａ，Ｂ，Ｃを受信回線として使用するか送信回線として使用するかの割当を決める。回線割当記憶部４９は回線割当部４８で割り当てられた受信回線と送信回線の割当を時刻と曜日ごとに記憶する。回線切替部５０は回線割当記憶部４９に記憶した情報に基づいた時刻と曜日に合わせて回線Ａ，Ｂ，Ｃのそれぞれを受信回線にするか送信回線にするかを切り替える。また、回線割当記憶部４９に記憶した受信回線と送信回線の割当情報は時刻と曜日に合わせて操作表示部４２に表示され、この割当情報が切り替わる時刻には音声出力部４３から音声出力する。
【００１６】
この画像形成装置１で曜日と時刻ごとに、回線Ａ，Ｂ，Ｃを受信回線として使用するか送信回線として使用するかの割当を決めて回線割当記憶部４９に記憶するときの回線割当作成処理を図３のフローチャートを参照して説明する。
【００１７】
回線Ａ，Ｂ，Ｃの割当作成処理を実行する場合、システム制御部３２はクロック部４１の出力により現在の月日を読み出し、あらかじめ定めた基準日であるか否を判定する（ステップＳ１，Ｓ２）。この判定の結果、現在の月日が基準日に該当する場合、回線Ａ，Ｂ，Ｃの割当処理を開始させる（ステップＳ３）。回線Ａ，Ｂ，Ｃの割当処理が開始すると、回線切替制御部３９の回線割当部４８は曜日と時刻ごとに受信状況記憶部４６の受信パラメータの状況と送信状況記憶部４７の送信パラメータの状況を読み出す（ステップＳ４）。この読み出した曜日と時刻ごとに受信回数と送信回数のどちらが多いかを比較し（ステップＳ５）、受信回数が多い場合には、例えば回線Ａ，Ｂの２回線を受信回線に割当て、回線Ｃの１回線を送信回線に割り当て、回線割当記憶部４９に記憶する（ステップＳ６）。また、送信回数が多い場合には、回線Ａ，Ｂに２回線を送信回線に割当て、回線Ｃの１回線を受信回線に割り当て、回線割当記憶部４９に記憶する（ステップＳ７）。この回線割当処理を全ての曜日と時刻に繰返して、全ての曜日と時刻毎に受信回線と送信回線の割当を行い回線割当記憶部４９に記憶したら（ステップＳ８）、受信状況記憶部４６に記憶した受信パラメータの状況と送信状況記憶部４７に記憶した送信パラメータの状況を消去して、次の受信パラメータと送信パラメータの状況の記憶に備える（ステップＳ９）。この回線割当作成処理を基準日ごとに繰り返すことにより、過去の履歴に応じて受信回線と送信回線を割り当てることができる。
【００１８】
次に回線割当記憶４９に記憶した回線割当の情報に基づいて回線Ａ，Ｂ，Ｃを受信回線と送信回線に切り替えるときの処理を図４のフローチャートを参照して説明する。
【００１９】
操作表示部４２の操作により回線割当処理の実行が指定されると（ステップＳ１１）、回線切替部５０はクロック部４１の出力により現在の曜日と時刻を読み出し（ステップＳ１２）、読み出した曜日と時刻に該当する受信回線と送信回線の割当情報を回線割当記憶部４９から検索する（ステップＳ１３）。回線切替部５０は検索した割当情報により回線Ａ，Ｂ，Ｃを受信回線にするか送信回線にするかを割り当てる（ステップＳ１４）。例えば現在の曜日と時刻で回線割当記憶部４９の割当情報で回線Ａ，Ｂを受信回線とし、回線Ｃを送信回線としている場合は、回線Ａ，Ｂを受信回線に割り当て、回線Ｃを送信回線に割り当てる。システム制御部３２はこの回線の割り当てた情報を操作表示部４２に表示し、新たに回線の割当が行われたことを音声出力部４３から出力して使用者に知らせる（ステップＳ１５）。この状態で通信ジョブが有ると（ステップＳ１６）、パラメータ監視部４５は通信ジョブが受信か送信かを判定する（ステップＳ１７）。そして通信ジョブが受信の場合には、パラメータ記憶部４４に記憶した受信パラメータの受信時間と受信時刻と受信曜日を監視し、受信パラメータの状況を受信状況記憶部４６に記憶する（ステップＳ１８）。また、通信ジョブが送信の場合には、パラメータ記憶部４４に記憶した送信パラメータの送信時間と送信時刻と送信曜日を監視し、送信パラメータの状況を送信状況記憶部４７に記憶する（ステップＳ１９）。この処理を通信ジョブが終了するまで繰り返す（ステップＳ２０）。そして回線割当処理が継続している間、前記処理を繰り返す（ステップＳ２１）。
【００２０】
このようにして、過去の受信と送信の履歴を曜日と時刻ごとに受信状況記憶部４６と送信状況記憶部４７に記憶することができ、この過去の履歴に基づいて受信回線と送信回線を割り当てることにより、受信不可能や送信不可能の事態が生じることを防ぐことができ、安定した送受信を行うことができる。
【００２１】
前記説明では画像形成装置１に複数の回線Ａ，Ｂ，Ｃが接続された場合について説明したが、図５に示すように、それぞれ１回線ずつ接続した複数のファクシミリ装置５１，５２，５３の各回線を、主制御部５５とパラメータ記憶部４４とパラメータ監視部４５と受信状況記憶部４６と送信状況記憶部４７と回線割当部４８と回線割当記憶部４９及び回線切替部５０を有する通信制御装置５４で受信回線と送信回線に割り当てるようにしても良い。
【００２２】
【発明の効果】
この発明は以上説明したように、過去の一定期間の受信状況と送信状況の履歴を曜日と時刻ごとに記憶し、記憶した過去の履歴に基づいて受信回線と送信回線を割り当てる用にしたから、受信が集中するときや送信が集中するときでも円滑に送受信することができ、受信不可能や送信不可能の事態が生じることを防ぐことができ、安定した送受信を行うことができる。
【００２３】
また、記憶した受信回線と送信回線の割当情報を時刻と曜日に合わせて表示することにより、通信ジョブを行う使用者に受信回線と送信回線の割当を的確に知らせることができる。
【００２４】
さらに、新たに回線の割当が行われたことを音声出力することにより、回線の割当の変更を使用者に的確に知らせることができ、使用者の便宜を図ることができる。
【図面の簡単な説明】
【図１】この発明の画像形成装置の構成図である。
【図２】制御装置の構成を示すブロック図である。
【図３】回線割当作成処理を示すフローチャートである。
【図４】回線切替処理を示すフローチャートである。
【図５】この発明の通信制御装置の構成を示すブロック図である。
【符号の説明】
１；画像形成装置、２；画像形成ユニット、３；給紙カセット、
４；読取ユニット、９；画像形成部、１０；定着部、３１；制御装置、
３２；システム制御部、３３；とシステムメモリ、３４；読出専用メモリ、
３５；不揮発性メモリ、３６；画像メモリ、３７；符号化復号化部、
３８；エンジン制御部、３９；回線切替制御部、４０；通信制御部、
４１；びクロック部、４４；パラメータ記憶部、４５；パラメータ監視部、
４６；受信状況記憶部、４７；送信状況記憶部、４８；回線割当部、
４９；回線割当記憶部、５０；回線切替部。
【図１】
2004072359.tif 000003
【図２】
2004072359.tif 000004
【図３】
2004072359.tif 000005
【図４】
2004072359.tif 000006
【図５】
2004072359.tif 000007